(57)【要約】【課題】タイヤの雪上性能を向上できる空気入りタイヤを提供すること。【解決手段】この空気入りタイヤ１は、リブあるいは複数のブロックを有する陸部３１〜３３をトレッド面に備える。また、空気入りタイヤ１は、車両に対する装着方向を表示する装着方向表示部を備える。また、陸部３１〜３３が、複数の細浅溝７と、複数の凹部８とを接地面に備える。また、タイヤ赤道面ＣＬを境界とする車幅方向内側領域における凹部８の開口面積率Ｓｉｎと、車幅方向外側領域における凹部８の開口面積率Ｓｏｕｔとが、Ｓｉｎ＜Ｓｏｕｔの関係を有する。【選択図】図２
2016147654.tif 000002
【特許請求の範囲】
【請求項１】
リブあるいは複数のブロックを有する陸部をトレッド面に備えると共に、車両に対する装着方向を表示する装着方向表示部を備える空気入りタイヤにおいて、
前記陸部が、複数の細浅溝と、複数の凹部とを接地面に備え、
所定領域における前記凹部の開口面積の総和と前記陸部の接地面積との比を前記凹部の開口面積率として定義し、且つ、
タイヤ赤道面を境界とする車幅方向内側領域における前記凹部の開口面積率Ｓｉｎと、車幅方向外側領域における前記凹部の開口面積率Ｓｏｕｔとが、Ｓｉｎ＜Ｓｏｕｔの関係を有することを特徴とする空気入りタイヤ。
【請求項２】
前記車幅方向内側領域における前記凹部の開口面積率Ｓｉｎと、前記車幅方向外側領域における前記凹部の開口面積率Ｓｏｕｔとが、１．１０≦Ｓｏｕｔ／Ｓｉｎの関係を有する請求項１に記載の空気入りタイヤ。
【請求項３】
所定の領域における前記凹部の配置数と前記陸部の接地面積との比を前記凹部の配置密度として定義し、且つ、
前記車幅方向内側領域における前記凹部の配置密度Ｄｉｎと、前記車幅方向外側領域における前記凹部の配置密度Ｄｏｕｔとが、Ｄｉｎ＜Ｄｏｕｔの関係を有する請求項１に記載の空気入りタイヤ。
【請求項４】
車幅方向内側領域における前記凹部の配置密度Ｄｉｎと、車幅方向外側領域における前記凹部の配置密度Ｄｏｕｔとが、１．１０≦Ｄｏｕｔ／Ｄｉｎの関係を有する請求項１に記載の空気入りタイヤ。
【請求項５】
前記車幅方向内側領域における前記凹部の開口面積の平均値Ａｉｎと、前記車幅方向外側領域における前記凹部の開口面積の平均値Ａｏｕｔとが、Ａｉｎ＜Ａｏｕｔの関係を有する請求項１または２に記載の空気入りタイヤ。
【請求項６】
前記車幅方向内側領域における前記凹部の開口面積の平均値Ａｉｎと、前記車幅方向外側領域における前記凹部の開口面積の平均値Ａｏｕｔとが、１．１０≦Ａｏｕｔ／Ａｉｎの関係を有する請求項５に記載の空気入りタイヤ。
【請求項７】
前記車幅方向内側領域が、相互に異なる開口面積をもつ複数種類の前記凹部を備え、且つ、前記車幅方向内側領域に配置された７０［％］以上の前記凹部が、トレッド部全体の平均よりも小さな開口面積を有する請求項５または６に記載の空気入りタイヤ。
【請求項８】
前記車幅方向外側領域が、相互に異なる開口面積をもつ複数種類の前記凹部を備え、且つ、前記車幅方向外側領域に配置された７０［％］以上の前記凹部が、トレッド部全体の平均よりも大きな開口面積を有する請求項５〜７のいずれか一つに記載の空気入りタイヤ。
【請求項９】
４本以上の周方向主溝と、前記周方向主溝に区画されて成る５列以上の前記陸部とを備え、且つ、
タイヤ幅方向の最も外側にある左右の前記周方向主溝を最外周方向主溝と定義し、
前記左右の最外周方向主溝とタイヤ赤道面との距離が、タイヤ接地幅の２８［％］以上３８［％］以下の範囲にあり、且つ、
タイヤ赤道面上にある前記陸部あるいはタイヤ赤道面上にある前記周方向主溝に区画された前記陸部における前記凹部の開口面積率Ｓ１と、前記最外周方向主溝に区画されたタイヤ幅方向内側の前記陸部における前記凹部の開口面積率Ｓ２と、前記最外周方向主溝に区画されたタイヤ幅方向外側の前記陸部における前記凹部の開口面積率Ｓ３とが、Ｓ１＜Ｓ２かつＳ３＜Ｓ２の関係を有する請求項３〜８のいずれか一つに記載の空気入りタイヤ。
【請求項１０】
４本以上の周方向主溝と、前記周方向主溝に区画されて成る５列以上の前記陸部とを備え、且つ、
タイヤ幅方向の最も外側にある左右の前記周方向主溝を最外周方向主溝と定義し、
前記左右の最外周方向主溝とタイヤ赤道面との距離が、タイヤ接地幅の２８［％］以上３８［％］以下の範囲にあり、且つ、
タイヤ赤道面上にある前記陸部あるいはタイヤ赤道面上にある前記周方向主溝に区画された前記陸部における前記凹部の開口面積率Ｓ１と、前記最外周方向主溝に区画されたタイヤ幅方向外側の前記陸部における前記凹部の開口面積率Ｓ３とが、Ｓ１＜Ｓ３の関係を有する請求項３〜９のいずれか一つに記載の空気入りタイヤ。
【請求項１１】
４本以上の周方向主溝と、前記周方向主溝に区画されて成る５列以上の前記陸部とを備え、且つ、
タイヤ幅方向の最も外側にある左右の前記周方向主溝を最外周方向主溝と定義し、
前記左右の最外周方向主溝とタイヤ赤道面との距離が、タイヤ接地幅の２８［％］以上３８［％］以下の範囲にあり、
前記最外周方向主溝に区画されたタイヤ幅方向内側の前記陸部が、タイヤ周方向に延在する周方向細溝を備え、且つ、
前記周方向細溝に区画された前記陸部のタイヤ幅方向内側の領域における前記凹部の開口面積率Ｓ２１とタイヤ幅方向外側の領域における前記凹部の開口面積率Ｓ２２とが、Ｓ２１＜Ｓ２２の関係を有する請求項１〜１０のいずれか一つに記載の空気入りタイヤ。
【請求項１２】
前記陸部の連続した接地面における前記凹部の配置密度Ｄａが、０．８［個／ｃｍ＾２］≦Ｄａ≦４．０［個／ｃｍ＾２］の範囲にある請求項１〜１１のいずれか一つに記載の空気入りタイヤ。
【請求項１３】
前記凹部の開口面積が、２．５［ｍｍ＾２］以上１０［ｍｍ＾２］以下の範囲にある請求項１〜１２のいずれか一つに記載の空気入りタイヤ。
【請求項１４】
前記凹部の壁角度αが、−８５［deg］≦α≦９５［deg］の範囲にある請求項１〜１３のいずれか一つに記載の空気入りタイヤ。
【請求項１５】
前記凹部の深さＨｄと、前記細浅溝の溝深さＨｇとが、０．５≦Ｈｄ／Ｈｇ≦１．５の関係を有する請求項１〜１４のいずれか一つに記載の空気入りタイヤ。
【発明の詳細な説明】
【技術分野】
【０００１】
この発明は、空気入りタイヤに関し、さらに詳しくは、タイヤの雪上性能を向上できる空気入りタイヤに関する。
【背景技術】
【０００２】
一般的な新品タイヤでは、薬品がトレッド表面に付着しているため、摩耗初期におけるブロックの吸水作用およびエッジ作用が小さく、氷上制動性能が低いという課題がある。このため、近年のスタッドレスタイヤでは、浅く微細な複数の細浅溝をブロックの表面に備える構成が採用されている。かかる構成では、摩耗初期にて、細浅溝が氷路面とトレッド面との間に介在する水膜を除去することにより、タイヤの氷上制動性能が向上する。かかる構成を採用する従来の空気入りタイヤとして、特許文献１に記載される技術が知られている。
【先行技術文献】
【特許文献】
【０００３】
【特許文献１】特許第３７０２９５８号公報
【発明の概要】
【発明が解決しようとする課題】
【０００４】
一方で、空気入りタイヤでは、タイヤの雪上性能を向上させるべき課題もある。
【０００５】
そこで、この発明は、上記に鑑みてなされたものであって、タイヤの雪上性能を向上できる空気入りタイヤを提供することを目的とする。
【課題を解決するための手段】
【０００６】
上記目的を達成するため、この発明にかかる空気入りタイヤは、リブあるいは複数のブロックを有する陸部をトレッド面に備えると共に、車両に対する装着方向を表示する装着方向表示部を備える空気入りタイヤにおいて、前記陸部が、複数の細浅溝と、複数の凹部とを接地面に備え、所定領域における前記凹部の開口面積の総和と前記陸部の接地面積との比を前記凹部の開口面積率として定義し、且つ、タイヤ赤道面を境界とする車幅方向内側領域における前記凹部の開口面積率Ｓｉｎと、車幅方向外側領域における前記凹部の開口面積率Ｓｏｕｔとが、Ｓｉｎ＜Ｓｏｕｔの関係を有することを特徴とする。
【発明の効果】
【０００７】
この発明にかかる空気入りタイヤでは、タイヤがネガティブキャンバを有する車両に装着された場合には、タイヤの車幅方向外側領域の接地圧が相対的に低くなる。このとき、車幅方向内側領域における凹部の開口面積率Ｓｉｎが大きいので、車幅方向外側領域の接地面積が減少し、接地圧が上昇して、凹部による雪柱剪断力が増加する。これにより、タイヤのトラクション性能が向上して、タイヤの雪上性能が向上する利点がある。
【図面の簡単な説明】
【０００８】
【図１】図１は、この発明の実施の形態にかかる空気入りタイヤを示すタイヤ子午線方向の断面図である。
【図２】図２は、図１に記載した空気入りタイヤのトレッド面を示す平面図である。
【図３】図３は、図２に記載した空気入りタイヤの陸部を示す説明図である。
【図４】図４は、図３に記載したブロックの要部を示す拡大図である。
【図５】図５は、図４に記載したブロックの接地面のＡ−Ａ視断面図である。
【図６】図６は、図２に記載した空気入りタイヤの陸部を示す説明図である。
【図７】図７は、図２に記載した空気入りタイヤの陸部を示す説明図である。
【図８】図８は、図４に記載した空気入りタイヤの変形例を示す説明図である。
【図９】図９は、図４に記載した空気入りタイヤの変形例を示す説明図である。
【図１０】図１０は、図４に記載した空気入りタイヤの変形例を示す説明図である。
【図１１】図１１は、図４に記載した空気入りタイヤの変形例を示す説明図である。
【図１２】図１２は、図４に記載した空気入りタイヤの変形例を示す説明図である。
【図１３】図１３は、図４に記載した空気入りタイヤの変形例を示す説明図である。
【図１４】図１４は、図４に記載した空気入りタイヤの変形例を示す説明図である。
【図１５】図１５は、図４に記載した空気入りタイヤの変形例を示す説明図である。
【図１６】図１６は、図４に記載した空気入りタイヤの変形例を示す説明図である。
【図１７】図１７は、図５に記載した空気入りタイヤの変形例を示す説明図である。
【図１８】図１８は、図４に記載した空気入りタイヤの変形例を示す説明図である。
【図１９】図１９は、図４に記載した空気入りタイヤの変形例を示す説明図である。
【図２０】図２０は、図４に記載した空気入りタイヤの変形例を示す説明図である。
【図２１】図２１は、図４に記載した空気入りタイヤの変形例を示す説明図である。
【図２２】図２２は、図２に記載した空気入りタイヤの変形例を示す説明図である。
【図２３】図２３は、図２に記載した空気入りタイヤの変形例を示す説明図である。
【図２４】図２４は、この発明の実施の形態にかかる空気入りタイヤの性能試験の結果を示す図表である。
【図２５】図２５は、この発明の実施の形態にかかる空気入りタイヤの性能試験の結果を示す図表である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［空気入りタイヤ］
図１は、この発明の実施の形態にかかる空気入りタイヤを示すタイヤ子午線方向の断面図である。同図は、タイヤ径方向の片側領域の断面図を示している。また、同図は、空気入りタイヤの一例として、乗用車用ラジアルタイヤを示している。
【００１１】
同図において、タイヤ子午線方向の断面とは、タイヤ回転軸（図示省略）を含む平面でタイヤを切断したときの断面をいう。また、符号ＣＬは、タイヤ赤道面であり、タイヤ回転軸方向にかかるタイヤの中心点を通りタイヤ回転軸に垂直な平面をいう。また、タイヤ幅方向とは、タイヤ回転軸に平行な方向をいい、タイヤ径方向とは、タイヤ回転軸に垂直な方向をいう。
【００１２】
この空気入りタイヤ１は、タイヤ回転軸を中心とする環状構造を有し、一対のビードコア１１、１１と、一対のビードフィラー１２、１２と、カーカス層１３と、ベルト層１４と、トレッドゴム１５と、一対のサイドウォールゴム１６、１６と、一対のリムクッションゴム１７、１７とを備える（図１参照）。
【００１３】
一対のビードコア１１、１１は、複数のビードワイヤを束ねて成る環状部材であり、左右のビード部のコアを構成する。一対のビードフィラー１２、１２は、一対のビードコア１１、１１のタイヤ径方向外周にそれぞれ配置されてビード部を構成する。
【００１４】
カーカス層１３は、１枚のカーカスプライから成る単層構造あるいは複数のカーカスプライを積層して成る多層構造を有し、左右のビードコア１１、１１間にトロイダル状に架け渡されてタイヤの骨格を構成する。また、カーカス層１３の両端部は、ビードコア１１およびビードフィラー１２を包み込むようにタイヤ幅方向外側に巻き返されて係止される。また、カーカス層１３のカーカスプライは、スチールあるいは有機繊維材（例えば、アラミド、ナイロン、ポリエステル、レーヨンなど）から成る複数のカーカスコードをコートゴムで被覆して圧延加工して構成され、絶対値で８０［deg］以上９５［deg］以下のカーカス角度（タイヤ周方向に対するカーカスコードの繊維方向の傾斜角）を有する。
【００１５】
ベルト層１４は、一対の交差ベルト１４１、１４２と、ベルトカバー１４３とを積層して成り、カーカス層１３の外周に掛け廻されて配置される。一対の交差ベルト１４１、１４２は、スチールあるいは有機繊維材から成る複数のベルトコードをコートゴムで被覆して圧延加工して構成され、絶対値で２０［deg］以上５５［deg］以下のベルト角度を有する。また、一対の交差ベルト１４１、１４２は、相互に異符号のベルト角度（タイヤ周方向に対するベルトコードの繊維方向の傾斜角）を有し、ベルトコードの繊維方向を相互に交差させて積層される（クロスプライ構造）。ベルトカバー１４３は、コートゴムで被覆されたスチールあるいは有機繊維材から成る複数のコードを圧延加工して構成され、絶対値で０［deg］以上１０［deg］以下のベルト角度を有する。また、ベルトカバー１４３は、交差ベルト１４１、１４２のタイヤ径方向外側に積層されて配置される。
【００１６】
トレッドゴム１５は、カーカス層１３およびベルト層１４のタイヤ径方向外周に配置されてタイヤのトレッド部を構成する。一対のサイドウォールゴム１６、１６は、カーカス層１３のタイヤ幅方向外側にそれぞれ配置されて左右のサイドウォール部を構成する。一対のリムクッションゴム１７、１７は、左右のビードコア１１、１１およびカーカス層１３の巻き返し部のタイヤ径方向内側にそれぞれ配置されて、リムフランジに対する左右のビード部の接触面を構成する。
【００１７】
［トレッドパターン］
図２は、図１に記載した空気入りタイヤのトレッド面を示す平面図である。同図は、スタッドレスタイヤのトレッドパターンを示している。同図において、タイヤ周方向とは、タイヤ回転軸周りの方向をいう。また、符号Ｔは、タイヤ接地端である。
【００１８】
図２に示すように、空気入りタイヤ１は、タイヤ周方向に延在する複数の周方向主溝２１、２２と、これらの周方向主溝２１、２２に区画された複数の陸部３１〜３３と、これらの陸部３１〜３３に配置された複数のラグ溝４１〜４３とをトレッド部に備える。
【００１９】
周方向主溝とは、摩耗末期を示すウェアインジケータを有する周方向溝であり、一般に、５．０［ｍｍ］以上の溝幅および７．５［ｍｍ］以上の溝深さを有する。また、ラグ溝とは、２．０［ｍｍ］以上の溝幅および３．０［ｍｍ］以上の溝深さを有する横溝をいう。
【００２０】
溝幅は、タイヤを規定リムに装着して規定内圧を充填した無負荷状態にて、溝開口部における左右の溝壁の距離の最大値として測定される。陸部が切欠部や面取部をエッジ部に有する構成では、溝長さ方向を法線方向とする断面視にて、トレッド踏面と溝壁の延長線との交点を基準として、溝幅が測定される。また、溝がタイヤ周方向にジグザグ状あるいは波状に延在する構成では、溝壁の振幅の中心線を基準として、溝幅が測定される。
【００２１】
溝深さは、タイヤを規定リムに装着して規定内圧を充填した無負荷状態にて、トレッド踏面から溝底までの距離の最大値として測定される。また、溝が部分的な凹凸部やサイプを溝底に有する構成では、これらを除外して溝深さが測定される。
【００２２】
規定リムとは、ＪＡＴＭＡに規定される「適用リム」、ＴＲＡに規定される「Design Rim」、あるいはＥＴＲＴＯに規定される「Measuring Rim」をいう。また、規定内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、規定荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００２３】
例えば、図２の構成では、ストレート形状を有する４本の周方向主溝２１、２２がタイヤ赤道面ＣＬを中心として左右対称に配置されている。また、４本の周方向主溝２１、２２により、５列の陸部３１〜３３が区画されている。また、陸部３１が、タイヤ赤道面ＣＬ上に配置されている。また、各陸部３１〜３３が、タイヤ周方向に所定間隔で配置されて陸部３１〜３３をタイヤ幅方向に貫通する複数のラグ溝４１〜４３を備えている。また、セカンド陸部３２が、タイヤ周方向に屈曲しつつ延在する周方向細溝２３を備えている。そして、各陸部３１〜３３が、周方向主溝２１、２２、周方向細溝２３およびラグ溝４１〜４３に区画されてブロック列となっている。
【００２４】
なお、図２の構成では、上記のように、周方向主溝２１、２２が、ストレート形状を有している。しかし、これに限らず、周方向主溝２１、２２が、タイヤ周方向に屈曲あるいは湾曲しつつ延在するジグザグ形状あるいは波状形状を有しても良い（図示省略）。
【００２５】
また、図２の構成では、上記のように、各陸部３１〜３３が、ラグ溝４１〜４３によりタイヤ周方向に分断されてブロック列となっている。しかし、これに限らず、例えば、ラグ溝４１〜４３が陸部３１〜３３の内部で終端するセミクローズド構造を有することにより、陸部３１〜３３がタイヤ周方向に連続するリブであっても良い（図示省略）。
【００２６】
また、図２の構成では、空気入りタイヤ１が、左右点対称なトレッドパターンを有している。しかし、これに限らず、空気入りタイヤ１が、例えば、左右線対称なトレッドパターン、左右非対称なトレッドパターン、タイヤ回転方向に方向性を有するトレッドパターンを有しても良い（図示省略）。
【００２７】
また、図２の構成では、上記のように、空気入りタイヤ１が、４本の周方向主溝２１、２２と、これらの周方向主溝に区画された５列の陸部３１〜３３とを備えている。しかし、これに限らず、空気入りタイヤ１が、３本の周方向主溝と４列の陸部とを備えても良いし、５本以上の周方向主溝と６列以上の陸部とを備えても良い（図示省略）。
【００２８】
かかる周方向主溝２１、２２を備えるトレッドパターンでは、タイヤ赤道面ＣＬ上にある陸部３１（図２参照）、あるいは、タイヤ赤道面ＣＬ上にある周方向主溝に区画された左右の陸部（図示省略）を、センター陸部と呼ぶ。また、タイヤ幅方向の最も外側にある左右の周方向主溝２２、２２に区画されたタイヤ幅方向内側の陸部３２、３２をセカンド陸部と呼び、タイヤ幅方向外側の陸部３３をショルダー陸部と呼ぶ。
【００２９】
なお、図２の構成では、上記のように、空気入りタイヤ１が、タイヤ周方向に延在する周方向主溝２１、２２を備えている。しかし、これに限らず、空気入りタイヤ１が、周方向主溝２１、２２に代えて、タイヤ周方向に対して所定角度で傾斜しつつ延在する複数の傾斜主溝を備えても良い。例えば、空気入りタイヤ１が、タイヤ周方向に凸となるＶ字形状を有すると共にタイヤ幅方向に延在して左右のトレッド端に開口する複数のＶ字傾斜主溝と、隣り合うＶ字傾斜主溝を接続する複数のラグ溝と、これらのＶ字傾斜主溝およびラグ溝に区画された複数の陸部とを備えても良い（図示省略）。
【００３０】
［車両装着方向の表示］
また、この空気入りタイヤ１は、車両に対する装着方向を示す装着方向表示部（図示省略）を有する。装着方向表示部は、例えば、タイヤのサイドウォール部に付されたマークや凹凸によって構成される。例えば、ＥＣＥＲ３０（欧州経済委員会規則第３０条）が、車両装着状態にて車幅方向外側となるサイドウォール部に装着方向表示部を設けることを義務付けている。なお、この実施の形態では、便宜的に、タイヤの車両装着状態にて車幅方向外側に位置する領域を「車幅方向外側領域」と呼び、車幅方向内側に位置する領域を「車幅方向内側領域」と呼ぶ。
【００３１】
［ブロックのサイプ］
図３は、図２に記載した空気入りタイヤの陸部を示す説明図である。同図は、車幅方向外側領域のショルダー陸部３３を構成する１つのブロック５の平面図を示している。
【００３２】
図２および図３に示すように、この空気入りタイヤ１では、すべての陸部３１〜３３のブロック５が複数のサイプ６をそれぞれ有する。これらのサイプ６により、陸部３１〜３３のエッジ成分が増加して、タイヤの氷上制動性能および雪上性能が向上する。
【００３３】
サイプは、陸部に形成された切り込みであり、一般に１．０［ｍｍ］未満のサイプ幅および２．０［ｍｍ］以上のサイプ深さを有することにより、タイヤ接地時に閉塞する。なお、サイプ深さの上限は、特に限定がないが、一般に主溝の溝深さよりも浅い。
【００３４】
サイプ幅は、タイヤを規定リムに装着して規定内圧を充填した無負荷状態にて、陸部の接地面におけるサイプの開口幅の最大値として測定される。
【００３５】
なお、サイプ６は、両端部にて陸部３１〜３３の内部で終端するクローズド構造、一方の端部にてブロック５のエッジ部に開口して他方の端部にてブロック５の内部で終端するセミクローズド構造、および、両端部にてブロック５のエッジ部で開口するオープン構造のいずれを有しても良い。また、陸部３１〜３３におけるサイプ６の長さ、枚数および配置構造は、当業者自明の範囲内にて適宜選択できる。また、サイプ６は、タイヤ幅方向、タイヤ周方向、およびこれらに傾斜する方向の任意の方向に延在できる。
【００３６】
例えば、図３の構成では、ショルダー陸部３３が、最外周方向主溝２２および複数のラグ溝４３（図２参照）に区画されて成る複数のブロック５を備えている。また、１つのブロック５が複数のサイプ６を備えている。また、これらのサイプ６が、タイヤ幅方向に延在するジグザグ形状を有し、また、タイヤ周方向に所定間隔をあけて並列に配置されている。また、タイヤ周方向の最も外側にあるサイプ６が、両端部にてブロック５の内部で終端するクローズド構造を有している。これにより、タイヤ転動時におけるブロック５の踏み込み側および蹴り出し側のエッジ部の剛性が確保されている。また、タイヤ周方向の中央部にあるサイプ６が、一方の端部にて周方向主溝２２に開口し、他方の端部にてブロック５の内部で終端するセミクローズド構造を有している。これにより、ブロック５の中央部の剛性が低減されて、ブロックのタイヤ周方向の剛性分布が均一化されている。
【００３７】
［ブロックの細浅溝］
図４は、図３に記載したブロックの要部を示す拡大図である。図５は、図４に記載したブロックの接地面のＡ−Ａ視断面図である。これらの図において、図４は、サイプ６、細浅溝７および凹部８の位置関係を示し、図５は、細浅溝７および凹部８の深さ方向の断面図を示している。
【００３８】
この空気入りタイヤ１では、陸部３１〜３３が、複数の細浅溝７を接地面に備える（図３参照）。かかる構成では、タイヤ接地時にて、細浅溝７が氷路面とトレッド面との間に介在する水膜を吸い取って除去することにより、タイヤの氷上制動性能が向上する。
【００３９】
細浅溝７は、０．２［ｍｍ］以上０．７［ｍｍ］以下の溝幅および０．２［ｍｍ］以上０．７［ｍｍ］以下の溝深さＨｇ（図５参照）を有する。このため、細浅溝７は、サイプ６よりも浅い。また、複数の細浅溝７が、陸部３１〜３３の全面に配置されている。
【００４０】
例えば、図３の構成では、複数の細浅溝７が、ショルダー陸部３３の接地面の全域に渡って配置されている。また、細浅溝７が、直線形状を有し、タイヤ周方向に対して所定の傾斜角θ（図４参照）にて傾斜して配置されている。また、複数の細浅溝７が、相互に所定間隔Ｐ（図４参照）をあけつつ並列に配置されている。また、図４に示すように、細浅溝７が、サイプ６と交差しており、サイプ６により長手方向に分断されている。
【００４１】
なお、図３のように、複数の細浅溝７が長尺形状を有して相互に並列に配置される構成では、細浅溝７の傾斜角θ（図４参照）が、２０［deg］≦θ≦８０［deg］の範囲にあることが好ましく、４０［deg］≦θ≦６０［deg］の範囲にあることがより好ましい。また、細浅溝７の配置間隔Ｐ（図４参照）が、０．５［ｍｍ］≦Ｐ≦１．５［ｍｍ］の範囲にあることが好ましく、０．７［ｍｍ］≦Ｐ≦１．２［ｍｍ］の範囲にあることがより好ましい。これにより、細浅溝７による水膜除去作用が適正に確保され、また、陸部３１〜３３の接地面積が確保される。なお、細浅溝７の配置密度は、特に限定がないが、上記の配置間隔Ｐにより制約を受ける。
【００４２】
細浅溝７の配置間隔Ｐは、隣り合う細浅溝７、７の溝中心線の距離として定義される。
【００４３】
［ブロックの凹部］
図２および図３に示すように、この空気入りタイヤ１では、すべての陸部３１〜３３が、複数の凹部８を接地面に備える。かかる構成では、タイヤ接地時にて、凹部８が氷路面とトレッド面との間に生ずる水膜を吸い取り、また、凹部８により陸部３１〜３３のエッジ成分が増加して、タイヤの氷上制動性能が向上する。
【００４４】
凹部８は、陸部３１〜３３の接地面に形成されたクローズドな窪み（接地面の境界に開口していない窪み。いわゆるディンプル）であり、陸部３１〜３３の接地面にて任意の幾何学的形状を有する。例えば、凹部８が、円形、楕円形、四角形、六角形などの多角形を有し得る。円形あるいは楕円形の凹部８は、陸部３１〜３３の接地面の偏摩耗が小さい点で好ましく、多角形の凹部８は、エッジ成分が大きく氷上制動性能を向上できる点で好ましい。
【００４５】
また、凹部８の開口面積が、２．５［ｍｍ＾２］以上１０［ｍｍ＾２］以下の範囲にあることが好ましい。例えば、円形の凹部８であれば、その直径が約１．８［ｍｍ］〜３．６［ｍｍ］の範囲にある。これにより、凹部８の水膜除去性能が確保される。
【００４６】
凹部８の開口面積は、陸部３１〜３３の接地面における凹部８の開口面積であり、タイヤを規定リムに装着して規定内圧を付与すると共に無負荷状態として測定される。
【００４７】
また、凹部８の深さＨｄ（図５参照）と、細浅溝７の溝深さＨｇとが、０．５≦Ｈｄ／Ｈｇ≦１．５の関係を有することが好ましく、０．８≦Ｈｄ／Ｈｇ≦１．２の関係を有することがより好ましい。すなわち、凹部８の深さＨｄと細浅溝７の溝深さＨｇとが略同一である。これにより、陸部３１〜３３の接地面の吸水作用が向上する。また、凹部８が、サイプ（例えば、線状サイプ６や円形サイプ（図示省略））と比較して浅いので、陸部３１〜３３の剛性が適正に確保される。これにより、タイヤの氷上制動性能が確保される。
【００４８】
また、凹部８の壁角度α（図５参照）が、−８５［deg］≦α≦９５［deg］の範囲にあることが好ましい。すなわち、凹部８の内壁が陸部３１〜３３の接地面に対して略垂直であることが好ましい。これにより、凹部８のエッジ成分が増加する。
【００４９】
凹部８の壁角度αは、凹部８の深さ方向の断面視にて、陸部３１〜３３の接地面と凹部８の内壁とのなす角として測定される。
【００５０】
また、図４に示すように、凹部８は、サイプ６から離間して配置される。すなわち、凹部８とサイプ６とは、陸部３１〜３３の接地面にて相互に異なる位置に配置されて、交差しない。また、凹部８とサイプ６との距離ｇは、０．２［ｍｍ］≦ｇの範囲にあることが好ましく、０．３［ｍｍ］≦ｇの範囲にあることがより好ましい。これにより、陸部３１〜３３の剛性が適正に確保される。
【００５１】
また、図４に示すように、凹部８は、細浅溝７に交差して配置されて、細浅溝７に連通する。また、凹部８が、相互に分離した隣り合う複数の細浅溝７、７に跨って配置される。言い換えると、相互に分離した隣り合う複数の細浅溝７、７が、１つの凹部８を貫通して配置される。これにより、隣り合う複数の細浅溝７、７が、凹部８を介して接続されて相互に連通する。また、凹部８が、隣り合う複数の細浅溝７、７の間に介在して、細浅溝７の容積を部分的に拡大する。すると、タイヤ接地時にて、凹部８が水の溜まり場となり、氷路面の水膜が効率的に吸収される。これにより、タイヤの氷上制動性能が向上する。
【００５２】
相互に分離した複数の細浅溝７とは、サイプ６および凹部８を除外した細浅溝７のみの配置パターンにて、相互に交差することなく延在する複数の細浅溝７をいう。したがって、複数の細浅溝７が相互に交差する配置パターンは、除外される。
【００５３】
例えば、図３の構成では、直線形状を有する複数の細浅溝７が、タイヤ周方向に対して所定角度で傾斜しつつ所定間隔で陸部３３の全面に配置されている。このため、図４に示すように、隣り合う細浅溝７、７が、相互に平行に配置されて一方向に併走している。また、凹部８が、隣り合う２本の細浅溝７、７に跨って配置されて、これらの細浅溝７、７を接続している。言い換えると、併走する２本の細浅溝７、７が、１つの凹部８を一方向に貫通している。なお、上記に限らず、３本以上の細浅溝７が、１つの凹部８を貫通しても良い（図示省略）。
【００５４】
また、上記の構成では、１つのブロック５の接地面にて、隣り合う複数の細浅溝７、７に跨って配置された凹部８の数が、この接地面における凹部８の総数に対して７０［％］以上あることが好ましく、８０［％］以上あることがより好ましい。これにより、上記した凹部８の水の溜まり場としての機能が効果的に発揮される。例えば、図３の構成では、すべての凹部８が、隣り合う２本の細浅溝７、７に跨って配置されている。しかし、これに限らず、一部の凹部８が、単一の細浅溝７に交差しても良いし、あるいは、細浅溝７に交差することなく隣り合う細浅溝７、７の間に配置されても良い（図示省略）。
【００５５】
また、図３の構成では、陸部３３が、細浅溝７を区画する複数のサイプ６を接地面に備えている。また、サイプ６により区画された１つの細浅溝７の部分が、複数の凹部８を貫通することなく延在している。すなわち、複数の凹部８が、サイプ６により区画された１つの細浅溝７の部分に対して重複して配置されないように、分散して配置されている。このため、１つの細浅溝７の部分には、最大１つの凹部８のみが配置される。
【００５６】
また、図３に示すように、凹部８は、細浅溝７と比較して、疎に配置される。具体的には、１つのリブあるいはブロックの接地面の全域における凹部８の配置密度Ｄａが、０．８［個／ｃｍ＾２］≦Ｄａ≦４．０［個／ｃｍ＾２］の範囲にあることが好ましく、１．０［個／ｃｍ＾２］≦Ｄａ≦３．０［個／ｃｍ＾２］の範囲にあることがより好ましい。これにより、１つのブロックあるいは１つのリブにおける凹部８の配置密度Ｄａが適正化される。
【００５７】
凹部８の配置密度Ｄａは、１つのリブあるいはブロックの接地面の面積に対する凹部８の総数として定義される。例えば、陸部がタイヤ周方向に連続するリブである場合（図示省略）には、１つのリブ全体の接地面積に対する凹部８の総数が、上記の配置密度Ｄａとなる。また、陸部がブロックである場合（図２および図３参照）には、１つのブロック５の接地面積に対する凹部８の総数が、上記の配置密度Ｄａとなる。
【００５８】
陸部の接地面積は、タイヤが規定リムに装着されて規定内圧を付与されると共に静止状態にて平板に対して垂直に置かれて規定荷重に対応する負荷を加えられたときのタイヤと平板との接触面にて、測定される。
【００５９】
また、図３の構成では、ショルダー陸部３３のブロック５が、矩形状の接地面を有している。また、複数のサイプ６が、タイヤ周方向に並列に配置されてブロック５をタイヤ周方向に複数の区間に区画している。また、すべての区間が、少なくとも１つの凹部８を有している。また、ブロック５のタイヤ周方向の中央部では、ブロック５の周方向主溝２２側の端部に凹部８を有する区間と、前記端部に凹部８を有さない区間とが、タイヤ周方向に交互に配置されている。また、ブロック５のタイヤ周方向の両端部の区間では、凹部８が、ブロック５の周方向主溝２２側の角部にそれぞれ配置されている。また、ブロック５のタイヤ周方向の両端部の区間では、凹部８が、タイヤ幅方向の中央部領域に配置されていない（角部のみに配置されている）。
【００６０】
陸部３１〜３３の中央部領域は、陸部３１〜３３の連続した接地面のタイヤ幅方向の中央部５０［％］の領域として定義される。また、陸部３１〜３３の端部領域は、陸部３１〜３３の連続した接地面のタイヤ幅方向の左右の端部２５［％］の各領域として定義される。また、陸部３１〜３３に形成された部分的な切欠部３１１（後述する図７参照）を除外して、中央部領域および端部領域が定義される。また、例えば、陸部がタイヤ周方向に連続するリブである場合（図示省略）には、１つのリブ全体の接地面について中央部領域および端部領域が定義される。また、陸部がブロックである場合（図２および図３参照）には、１つのブロック５の接地面について中央部領域および端部領域が定義される。また、凹部８の中心が上記の中央部領域あるいは端部領域にあれば、凹部８が上記の中央部領域あるいは端部領域に配置されているといえる。
【００６１】
陸部の接地面は、タイヤを規定リムに装着して規定内圧を付与すると共に静止状態にて平板に対して垂直に置いて規定荷重に対応する負荷を加えたときのタイヤと平板との接触面にて定義される。
【００６２】
連続した接地面は、２．０［ｍｍ］以上の溝幅および３．０［ｍｍ］以上の溝深さを有する溝により区画された接地面として定義される。具体的には、上記の溝幅および溝深さを有する周方向溝およびラグ溝により区画された１つのリブあるいは１つのブロックの接地面が、上記連続した接地面に該当する。また、例えば、陸部内で終端するクローズド構造のラグ溝、陸部に形成された部分的な切り欠き（例えば、後述する図７の切欠部３１１）、タイヤ接地時に閉塞するサイプやカーフなどは、陸部の接地面を分断しないため、上記の溝に該当しない。
【００６３】
陸部３１〜３３の角部は、陸部の接地面の角部を含む５［ｍｍ］四方の領域として定義される。陸部の角部は、主溝およびラグ溝により区画された陸部の部分のみならず、陸部に形成された切欠部により区画された陸部の部分を含む。また、凹部８の中心が上記の角部にあれば、凹部８が上記の角部に配置されているといえる。
【００６４】
また、図３の構成では、タイヤ周方向に隣り合う任意の３つの区間が、タイヤ幅方向の端部領域に凹部８を有する区間と、タイヤ幅方向の中央部領域に凹部８を有する区間とをそれぞれ含んでいる。これにより、凹部８が陸部３１〜３３の端部領域および中央部領域に分散して配置されている。
【００６５】
ブロック５のタイヤ周方向の両端部の区間とは、複数のサイプ６によりタイヤ周方向に区画されたブロック５の複数の区間のうち、タイヤ周方向の両端部に位置する一対の区間をいう。また、ブロック５のタイヤ周方向の中央部の区間とは、前記タイヤ周方向の両端部の区間を除いた区間をいう。
【００６６】
ブロック５のタイヤ幅方向の端部領域、特に、周方向主溝２２側の端部領域では、タイヤ接地時にてブロック５の中央部よりも大きな接地圧が作用する。このため、氷路面の走行時にて接地圧により路面の氷が溶け易く、水膜が発生し易い。したがって、凹部８がブロック５の端部領域および角部に配置されることにより、氷路面の水膜が効率的に吸収されて、タイヤの氷上制動性能が向上する。
【００６７】
また、図３の構成では、サイプ６が、ラグ溝４３に平行ないしは若干傾斜して配置され、また、タイヤ接地端Ｔからタイヤ幅方向内側の領域にのみ配置されている。また、細浅溝７が、タイヤ接地端Ｔを越えて陸部３３のタイヤ幅方向外側の領域まで延在している。また、凹部８が、タイヤ接地端Ｔからタイヤ幅方向内側の領域にのみ配置されている。
【００６８】
タイヤ接地端Ｔとは、タイヤを規定リムに装着して規定内圧を付与すると共に静止状態にて平板に対して垂直に置いて規定荷重に対応する負荷を加えたときのタイヤと平板との接触面におけるタイヤ軸方向の最大幅位置をいう。
【００６９】
図６および図７は、図２に記載した空気入りタイヤの陸部を示す説明図である。これらの図において、図６は、車幅方向外側領域のセカンド陸部３２を構成する１つのブロック５の平面図を示している。また、図７は、センター陸部３１を構成する１つのブロック５の平面図を示している。
【００７０】
図２の構成では、セカンド陸部３２が、１本の周方向細溝２３によりタイヤ幅方向に分断され、さらに複数のラグ溝４２によりタイヤ周方向に分断されて、複数のブロック５が区画されている。また、セカンド陸部３２のタイヤ幅方向内側の領域には、タイヤ周方向に長尺なブロック５が形成され、タイヤ幅方向外側の領域には、短尺なブロック５が形成されている。
【００７１】
また、図６に示すように、セカンド陸部３２のタイヤ幅方向外側のブロック５が、矩形状の接地面を有している。また、複数のサイプ６が、タイヤ周方向に並列に配置されてブロック５を複数の区間に区画している。また、すべての区間が、複数の凹部８を有している。また、ブロック５のタイヤ周方向の中央部では、ブロック５のタイヤ幅方向の左右の端部領域に凹部８を有する区間と、タイヤ幅方向の中央部領域のみに凹部８を有する区間とが、タイヤ周方向に交互に配置されている。また、凹部８が、ブロック５の４つの角部にそれぞれ配置されている。また、ブロック５のタイヤ周方向の両端部の区間では、凹部８が、タイヤ幅方向の中央部領域に配置されておらず、角部にのみ配置されている。
【００７２】
一般に、短尺なブロック５を有する陸部３２では、ブロック５の剛性が低いため、車両制動時にて、ブロック５の倒れ込み量が大きい。特に、ブロック５が複数のサイプ６を有する構成では、その傾向が顕著となり、タイヤの氷上制動性能が低下し易い。そこで、かかる構成では、ブロック５が、サイプ６で区画されたタイヤ周方向のすべての区間に凹部８を有することにより、氷路面の水膜が効率的に吸収されて、タイヤの氷上制動性能が確保される。
【００７３】
また、図２の構成では、センター陸部３１が、複数のラグ溝４１によりタイヤ周方向に分断されて、複数のブロック５が区画されている。また、ブロック５が、セカンド陸部３２のラグ溝４２の延長線上に、切欠部３１１を有している。また、ブロック５が、矩形状の接地面を有している。
【００７４】
また、図７に示すように、複数のサイプ６が、タイヤ周方向に並列に配置されてブロック５を複数の区間に区画している。また、ブロック５が、凹部８を有さない区間を有している。また、任意の隣り合う３つの区間が、凹部８を有さない区間を含んでいる。例えば、図７の構成では、ブロック５のタイヤ幅方向の両端部にのみ凹部８を有する区間と、凹部８を有さない区間とが、タイヤ周方向に交互に配置されている。また、凹部８が、ブロック５の４つの角部にそれぞれ配置されている。また、ブロック５のタイヤ周方向の両端部の区間では、凹部８が、タイヤ幅方向の中央部領域に配置されておらず、角部にのみ配置されている。また、切欠部３１１に隣接する区間が、凹部８を有している。
【００７５】
一般に、センター陸部３１は、タイヤの操縦安定性能を確保するために、高い剛性を有することが好ましい。そこで、図７のように、センター陸部３１のブロック５が凹部８を有さない区間を部分的に有することにより、ブロック５の剛性が確保されて、タイヤの操縦安定性能が確保される。
【００７６】
なお、上記の構成では、少なくとも一部の凹部８が、タイヤ成形金型（図示省略）のベント孔に対応する位置に配置されることが好ましい。すなわち、タイヤ加硫成形工程では、グリーンタイヤをタイヤ成形金型に押圧するために、タイヤ成形金型内の空気を外部に排出する必要がある。このため、タイヤ成形金型が、陸部３１〜３３の接地面を成形する金型面に、複数のベント装置（図示省略）を有している。また、ある種のベント装置は、加硫成形後の陸部３１〜３３の接地面に、ベント跡（ベント装置によって形成された小さな窪み）を形成する。そこで、このベント跡を上記の凹部８として用いることにより、ベント跡を有効に利用し、また、陸部３１〜３３の接地面における無用な窪みを低減して陸部３１〜３３の接地面積を適正に確保できる。
【００７７】
［凹部の開口面積率］
この空気入りタイヤ１では、タイヤ赤道面ＣＬを境界とする車幅方向内側領域における凹部８の開口面積率Ｓｉｎと、車幅方向外側領域における凹部８の開口面積率Ｓｏｕｔとが、Ｓｉｎ＜Ｓｏｕｔの関係を有する。すなわち、車幅方向外側領域における凹部８の開口面積率Ｓｏｕｔが、車幅方向内側領域よりも大きい。また、凹部８の開口面積率の比Ｓｏｕｔ／Ｓｉｎが、１．１０≦Ｓｏｕｔ／Ｓｉｎの関係を有することが好ましく、１．２０≦Ｓｏｕｔ／Ｓｉｎの関係を有することがより好ましい。比Ｓｏｕｔ／Ｓｉｎの上限は、特に限定がないが、凹部８の配置密度や開口面積との関係により制約を受ける。また、すべての凹部８が車幅方向外側領域に配置された場合、すなわち凹部８が車幅方向外側領域のみに配置されて車幅方向内側領域に配置されていない場合には、Ｓｉｎ＝０となり、Ｓｉｎ＜Ｓｏｕｔの関係が満たされる。
【００７８】
凹部の開口面積率は、所定領域に配置された凹部の開口面積の総和と当該領域の接地面積との比として定義される。凹部と領域の境界線とが交差する場合には、凹部の中心点が領域内にあれば凹部が当該領域内に配置されているといえる。
【００７９】
凹部の開口面積および領域の接地面積は、タイヤが規定リムに装着されて規定内圧を付与されると共に静止状態にて平板に対して垂直に置かれて規定荷重に対応する負荷を加えられたときのタイヤと平板との接触面にて、測定される。
【００８０】
車幅方向内側領域および車幅方向外側領域における凹部８の開口面積率Ｓｉｎ、Ｓｏｕｔは、各領域における凹部８の配置密度により調整できる。すなわち、凹部８が、車幅方向外側領域で密に配置され、車幅方向内側領域で疎に配置されることにより、車幅方向外側領域における凹部８の開口面積率Ｓｏｕｔが大きく設定される。
【００８１】
また、図２に示すように、凹部８が、トレッド部の接地領域の全域に分散して配置されることが好ましい。これにより、単体の凹部８の基本的な作用効果がトレッド全体で得られる。しかし、これに限らず、凹部８が車幅方向外側領域のみに配置されても良い（図示省略）。
【００８２】
具体的には、図２に示すように、車幅方向内側領域における凹部８の配置密度Ｄｉｎと、車幅方向外側領域における凹部８の配置密度Ｄｏｕｔとが、Ｄｉｎ＜Ｄｏｕｔの関係を有することにより、凹部８の開口面積率の条件Ｓｉｎ＜Ｓｏｕｔが満たされる。すなわち、凹部８が、車幅方向外側領域で密に配置され、車幅方向内側領域で疎に配置される。また、車幅方向外側領域における凹部８の配置密度Ｄｏｕｔが、トレッド部全域における凹部８の配置密度Ｄｔｒよりも高い（Ｄｔｒ＜Ｄｏｕｔ）。
【００８３】
また、比Ｄｏｕｔ／Ｄｉｎが、１．１０≦Ｄｏｕｔ／Ｄｉｎの範囲にあることが好ましく、１．２０≦Ｄｏｕｔ／Ｄｉｎの範囲にあることがより好ましい。比Ｄｏｕｔ／Ｄｉｎの上限は、特に限定がないが、上記した陸部３１〜３３の連続した接地面における凹部８の配置密度Ｄａの範囲により制約を受ける。また、すべての凹部８が車幅方向外側領域に配置された場合（図示省略）には、Ｄｉｎ＝０となり、Ｓｉｎ＜ＳｏｕｔかつＤｉｎ＜Ｄｏｕｔの条件が満たされる。
【００８４】
凹部８の配置密度Ｄｉｎ、Ｄｏｕｔは、トレッド部の各領域（車幅方向外側領域および車幅方向内側領域）に配置された凹部８の総数と、各領域の接地面積との比としてそれぞれ定義される。
【００８５】
また、凹部８の配置数は、所定領域にある凹部８の中心点の数としてカウントされる。また、凹部と領域の境界線とが交差する場合には、凹部の中心点が領域内にあれば凹部が当該領域内に配置されているといえる。
【００８６】
トレッド部の接地領域は、左右のタイヤ接地端Ｔ、Ｔの間の領域として定義される。タイヤ接地端Ｔは、タイヤを規定リムに装着して規定内圧を付与すると共に静止状態にて平板に対して垂直に置いて規定荷重に対応する負荷を加えたときのタイヤと平板との接触面におけるタイヤ軸方向の最大幅位置として定義される。
【００８７】
タイヤがネガティブキャンバを有する車両に装着された場合には、タイヤの車幅方向外側領域の接地圧が相対的に低くなる。このとき、凹部８が車幅方向外側領域で密に配置されるので、車幅方向外側領域の接地面積が減少し、接地圧が上昇して、凹部８による雪柱剪断力（掘り起こし力）が増加する。これにより、タイヤのトラクション性能が向上して、タイヤの雪上性能が向上する。
【００８８】
また、図２の構成では、上記のように、空気入りタイヤ１が、４本の周方向主溝２１、２２と、５列の陸部３１〜３３とを備えている。また、これらの周方向主溝２１、２２が、タイヤ赤道面ＣＬを中心として左右対称に配置されている。また、左右の最外周方向主溝（タイヤ幅方向の最も外側にある左右の周方向主溝）２２、２２と、タイヤ赤道面ＣＬとの距離（図中の寸法記号省略）が、タイヤ接地幅の２８［％］以上３８［％］以下の範囲にある。
【００８９】
タイヤ赤道面ＣＬと最外周方向主溝２２との距離は、タイヤ赤道面ＣＬから最外周方向主溝２２の溝中心線までの距離であり、タイヤを規定リムに装着して規定内圧を付与すると共に無負荷状態として測定される。
【００９０】
タイヤ接地幅は、タイヤを規定リムに装着して規定内圧を付与すると共に静止状態にて平板に対して垂直に置いて規定荷重に対応する負荷を付与したときのタイヤと平板との接触面におけるタイヤ軸方向の最大直線距離として測定される。
【００９１】
また、図２のように４本以上の周方向主溝２１、２２を有する構成では、タイヤ赤道面ＣＬを境界とする左右の領域にて、センター陸部３１における凹部８の開口面積率Ｓ１と、セカンド陸部３２における凹部８の開口面積率Ｓ２と、ショルダー陸部３３における凹部８の開口面積率Ｓ３とが、Ｓ１＜Ｓ３＜Ｓ２の関係をそれぞれ有することが好ましい。すなわち、セカンド陸部３２における凹部８の開口面積率Ｓ２が、センター陸部３１における凹部８の開口面積率Ｓ１およびショルダー陸部３３における凹部８の開口面積率Ｓ３と比較して、最も高い（Ｓ１＜Ｓ２かつＳ３＜Ｓ２）。また、ショルダー陸部３３における凹部８の開口面積率Ｓ３が、センター陸部３１における凹部８の開口面積率Ｓ１よりも高い（Ｓ１＜Ｓ３）。同時に、車幅方向内側領域における凹部８の開口面積率Ｓｉｎと、車幅方向外側領域における凹部８の開口面積率Ｓｏｕｔとが、Ｓｉｎ＜Ｓｏｕｔの関係に設定される。これにより、トレッド全体の接地領域における凹部８の開口面積率が適正化される。
【００９２】
また、上記の構成では、センター陸部３１における凹部８の開口面積率Ｓ１とショルダー陸部３３における凹部８の開口面積率Ｓ３とが、１．１０≦Ｓ３／Ｓ１の関係を有することが好ましく、１．２０≦Ｓ３／Ｓ１の関係を有することがより好ましい。比Ｓ３／Ｓ１の上限は、特に限定がないが、上記した陸部３１〜３３の連続した接地面における凹部８の配置密度Ｄａの範囲により制約を受ける。
【００９３】
また、ショルダー陸部３３における凹部８の開口面積率Ｓ３とセカンド陸部３２における凹部８の開口面積率Ｓ２が、１．１０≦Ｓ２／Ｓ３の関係を有することが好ましく、１．２０≦Ｓ２／Ｓ３の関係を有することがより好ましい。
【００９４】
例えば、図２の構成では、センター陸部３１における凹部８の配置密度Ｄ１と、セカンド陸部３２における凹部８の配置密度Ｄ２と、ショルダー陸部３３における凹部８の配置密度Ｄ３とが、Ｄ１＜Ｄ３＜Ｄ２の関係を有している。これにより、トレッド全体の接地領域における凹部８の配置密度が適正化されている。
【００９５】
一般に、ショルダー陸部３３では、センター陸部３１と比較して、接地圧が相対的に高く氷路面にて水膜が発生し易い傾向にある。したがって、図２のように、ショルダー陸部３３の凹部８の開口面積率Ｓ３がセンター陸部３１の凹部８の開口面積率Ｓ１よりも相対的に高く（Ｓ１＜Ｓ３）設定されることにより、ショルダー陸部３３の除水性が効率的に高められて、タイヤの氷上制動性能が向上する。また、上記のように、車幅方向外側領域の凹部８の開口面積率Ｓｏｕｔが車幅方向内側領域の凹部８の開口面積率Ｓｉｎよりも相対的に高く（Ｓｉｎ＜Ｓｏｕｔ）設定されることにより、タイヤがネガティブキャンバを有する車両に装着された場合に、タイヤの雪上性能が向上する。これらの補完作用により、タイヤの氷上制動性能と雪上性能とが両立する。
【００９６】
しかし、これに限らず、センター陸部３１の凹部８の開口面積率Ｓ１がショルダー陸部３３の凹部８の開口面積率Ｓ３よりも相対的に高く（Ｓ３＜Ｓ１）設定されても良い（図示省略）。一般に、センター陸部３１では、ショルダー陸部３３と比較して、接地圧が相対的に低い。したがって、センター陸部３１の凹部８の開口面積率Ｓ１が高く設定されることにより、センター陸部３１の接地面積が減少し、接地圧が上昇して、凹部８による雪柱剪断力が増加する。これにより、タイヤのトラクション性能が向上して、タイヤの雪上性能が向上する。また、上記のように、車幅方向外側領域の凹部８の開口面積率Ｓｏｕｔが車幅方向内側領域の凹部８の開口面積率Ｓｉｎよりも相対的に高く（Ｓｉｎ＜Ｓｏｕｔ）設定されることにより、タイヤがネガティブキャンバを有する車両に装着された場合に、タイヤの雪上性能が向上する。これらの相乗作用により、タイヤの雪上性能が効果的に向上する。
【００９７】
なお、タイヤ赤道面ＣＬ上に周方向主溝を有する構成（図示省略）では、タイヤ赤道面ＣＬ上の周方向主溝に区画された左右の陸部が、センター陸部となり、上記した凹部８の開口面積率Ｓ１の条件を満たす。
【００９８】
また、図２の構成では、上記のように、セカンド陸部３２が、タイヤ周方向に延在する周方向細溝２３を備えている。また、周方向細溝２３が、セカンド陸部３２のタイヤ幅方向の中央部（最外周方向主溝２２を基準としてセカンド陸部３２の幅の３０［％］〜７０［％］の領域）に配置されている。このとき、周方向細溝２３に区画されたセカンド陸部３２のタイヤ幅方向内側の領域における凹部８の開口面積率Ｓ２１と、タイヤ幅方向外側の領域における凹部８の開口面積率Ｓ２２とが、Ｓ２１＜Ｓ２２の関係を有することが好ましい。したがって、凹部８がセカンド陸部３２のタイヤ幅方向外側の領域で相対的に高く設定される。具体的には、凹部８の開口面積率Ｓ２１、Ｓ２２が、１．１０≦Ｓ２２／Ｓ２１の関係を有することが好ましく、１．２０≦Ｓ２２／Ｓ２１の関係を有することがより好ましい。
【００９９】
［変形例］
図８〜図１４は、図４に記載した空気入りタイヤの変形例を示す説明図である。これらの図は、サイプ６、細浅溝７および凹部８の位置関係を示している。
【０１００】
図４の構成では、細浅溝７が、タイヤ周方向に対して所定角度θで傾斜して配置されている。かかる構成では、傾斜した細浅溝７により、タイヤ周方向およびタイヤ幅方向の双方へのエッジ成分が生じる点で好ましい。
【０１０１】
しかし、これに限らず、細浅溝７が、タイヤ周方向に平行に延在しても良いし（図８参照）、タイヤ幅方向に平行に延在しても良い（図９参照）。
【０１０２】
また、図４の構成では、細浅溝７が、直線形状を有している。かかる構成では、細浅溝７の形成が容易な点で好ましい。
【０１０３】
しかし、これに限らず、細浅溝７が、ジグザグ形状を有しても良いし（図１０参照）、波状形状を有しても良い（図１１参照）。このとき、図１０および図１１のように、複数の細浅溝７が相互に位相を揃えて配置されても良いし、図１２のように、相互に位相をずらして配置されても良い。また、図１３に示すように、細浅溝７が、屈曲あるいは湾曲した短尺構造を有しても良い。このとき、短尺な細浅溝７が、相互にオフセットしつつ連なって配列されても良いし（図１３参照）、マトリクス状に整列して配置されても良い（図示省略）。また、細浅溝７が、円弧形状を有しても良いし（図１４参照）、Ｓ字形状などの湾曲形状を有しても良い（図示省略）。
【０１０４】
また、図１０〜図１４においても、図４、図８および図９の構成と同様に、細浅溝７が、タイヤ周方向に対して所定角度θで傾斜しても良いし、タイヤ周方向に平行に延在しても良いし、タイヤ幅方向に平行に延在しても良い。なお、細浅溝７がジグザグ形状あるいは波状形状を有する場合には、細浅溝７の傾斜角θがジグザグ形状あるいは波状形状の振幅の中心を基準として測定される。
【０１０５】
図１５および図１６は、図４に記載した空気入りタイヤの変形例を示す説明図である。これらの図は、サイプ６、細浅溝７および凹部８の位置関係を示している。
【０１０６】
図４の構成では、細浅溝７が、所定方向に延在する線状構造を有している。かかる構成では、細浅溝７が、ブロック５の接地面の全域に渡って連続的に延在できる点で好ましい。
【０１０７】
しかし、これに限らず、図１５および図１６に示すように、細浅溝７が、環状構造を有し、相互に所定間隔をあけて配置されても良い。例えば、細浅溝７が、円形状（図１５）あるいは楕円形状（図示省略）、矩形状（図１６）、三角形状、六角形状などの多角形状（図示省略）を有し得る。また、かかる構成においても、凹部８が、相互に分離した隣り合う複数の細浅溝７、７に跨って配置される。
【０１０８】
図１７は、図５に記載した空気入りタイヤの変形例を示す説明図である。同図は、細浅溝７ａ、７ｂおよび凹部８の深さ方向の断面図を示している。
【０１０９】
図５の構成では、すべての細浅溝７が、同一の溝深さＨｇを有している。
【０１１０】
これに対して、図１７の構成では、一部の細浅溝７ｂの溝深さが、基準となる細浅溝７ａの溝深さＨｇよりも浅く設定される。かかる構成では、タイヤの摩耗進行により、浅い溝深さを有する細浅溝７ｂが先に消滅し、その後に深い溝深さＨｇを有する細浅溝７ａが消滅する。これにより、すべての細浅溝７が同時に消滅することによるブロック５の性状変化を抑制できる。
【０１１１】
図１８〜図２１は、図４に記載した空気入りタイヤの変形例を示す説明図である。これらの図は、サイプ６、細浅溝７および凹部８の位置関係を示している。
【０１１２】
図４の構成では、すべての細浅溝７が相互に平行に配置されている。このため、細浅溝７が相互に交差することなく、縞状に配置されている。
【０１１３】
しかし、これに限らず、図１８〜図２１に示すように、細浅溝７が相互に交差あるいは連通して配置されても良い。例えば、図１８〜図１９のように、複数の細浅溝７が網目状に配置されても良い。このとき、細浅溝７が、タイヤ周方向およびタイヤ幅方向に対して傾斜して配置されても良いし（図１８）、タイヤ周方向およびタイヤ幅方向に対して平行に配置されても良い（図１９）。また、一部の細浅溝７ｂが、例えば、円弧状、波状など湾曲して配置されても良い（図２０）。また、細浅溝７が、環状構造を有して相互に連通して配置されても良い（図２１）。例えば、図２１の構成では、細浅溝７がハニカム状に配置されている。また、これらの構成においても、凹部８が、相互に交差しない２本以上の細浅溝７に交差して配置される。
【０１１４】
［変形例２］
図２２および図２３は、図２に記載した空気入りタイヤの変形例を示す説明図である。これらの図において、図２２は、トレッド部全体の平面図を示し、図２３は、センター陸部３１および左右のセカンド陸部３２、３２の平面図を示している。
【０１１５】
図２の構成では、上記のように、車幅方向内側領域における凹部８の配置密度Ｄｉｎと、車幅方向外側領域における凹部８の配置密度Ｄｏｕｔとが、Ｄｉｎ＜Ｄｏｕｔの関係を有することにより、凹部８の開口面積率の条件Ｓｉｎ＜Ｓｏｕｔが満たされている。具体的には、図２に示すように、凹部８が車幅方向外側領域のショルダー陸部３３およびセカンド陸部３２に密に配置されることにより、車幅方向外側領域における凹部８の配置密度Ｄｏｕｔが高く設定されている。また、各陸部３１〜３３の凹部８が、同一の開口形状および同一の開口面積を有している。
【０１１６】
これに対して、図２２の構成では、トレッド部の車幅方向内側領域における凹部８の開口面積の平均値Ａｉｎと、車幅方向外側領域における凹部８の開口面積の平均値Ａｏｕｔとが、Ａｉｎ＜Ａｏｕｔの関係を有することにより、凹部８の開口面積率の条件Ｓｉｎ＜Ｓｏｕｔが満たされている。すなわち、相互に異なる開口面積をもつ複数種類の凹部８が用いられ、大きな開口面積をもつ凹部８が車幅方向外側領域に配置され、逆に、小さな開口面積をもつ凹部８が車幅方向内側領域に配置される。また、凹部８の開口面積の平均値Ａｉｎ、Ａｏｕｔの比Ａｏｕｔ／Ａｉｎが、１．１０≦Ａｏｕｔ／Ａｉｎの関係を有することが好ましく、１．２０≦Ａｏｕｔ／Ａｉｎの関係を有することがより好ましい。比Ａｏｕｔ／Ａｉｎの上限は特に限定がないが、凹部８の配置密度や開口面積との関係により制約を受ける。また、すべての凹部８が車幅方向外側領域に配置された場合には、Ａｉｎ＝０となり、Ａｉｎ＜ＡｏｕｔかつＳｉｎ＜Ｓｏｕｔの条件が満たされる。
【０１１７】
開口面積の平均値Ａｉｎ、Ａｏｕｔは、トレッド部の各領域（車幅方向内側領域および車幅方向外側領域）における凹部の開口面積の総和と凹部の総数との比としてそれぞれ定義される。
【０１１８】
一般に、タイヤがネガティブキャンバを有する車両に装着された場合には、タイヤの車幅方向外側領域の接地圧が相対的に低くなる。このとき、比較的大きな開口面積を有する凹部８が比較的低い接地圧を有する車幅方向外側領域に配置されるので、車幅方向外側領域の接地面積が減少し、接地圧が上昇して、凹部８による雪柱剪断力（掘り起こし力）が増加する。これにより、タイヤのトラクション性能が向上して、タイヤの雪上性能が向上する。
【０１１９】
また、図２２の構成では、各陸部３１〜３３に配置された複数の凹部８が、相互に同一の開口面積を有している。また、トレッド全体としては、相互に異なる開口面積をもつ大小２種類の凹部８が用いられ、車幅方向外側のセカンド陸部３２およびショルダー陸部３３に配置されたすべての凹部８が大きい開口面積を有し、車幅方向内側のセカンド陸部３２およびショルダー陸部３３に配置されたすべての凹部８が小さい開口面積を有している。このため、左右のセカンド陸部３２およびショルダー陸部３３に配置された凹部８の開口面積が大小いずれかで一定となっている。
【０１２０】
しかし、これに限らず、１つの陸部に配置された複数の凹部８が、相互に異なる開口面積を有しても良い（図示省略）。この場合には、車幅方向外側領域に配置された７０［％］以上の凹部８が、トレッド部全体の平均よりも大きな開口面積を有し、車幅方向内側領域に配置された７０［％］以上の凹部８が、トレッド部全体の平均よりも小さな開口面積を有することが好ましい。これにより、各領域の凹部８の開口面積率が異なることによる機能が適正に確保される。
【０１２１】
また、図２２の構成では、センター陸部３１に配置されたすべての凹部８が比較的大きい開口面積を有している。具体的には、大きな開口面積を有する複数の凹部８がセンター陸部３１の左右のエッジ部に沿って配置され、また、左右のエッジ部に配置された凹部８の開口面積が相互に等しい。かかる構成では、センター陸部３１の左右のエッジ部間の偏摩耗を抑制できる点で好ましい。
【０１２２】
しかし、これに限らず、センター陸部３１に比較的小さい凹部８（例えば、図２２において車幅方向内側領域のショルダー陸部３３に配置されている凹部８）が配置されても良いし、相互に異なる開口面積を有する凹部８が混在して配置されても良い（図示省略）。
【０１２３】
また、図２２の構成では、空気入りタイヤ１が、タイヤ赤道面ＣＬを境界とする左右の領域で点対称なトレッドパターンを有している。また、凹部８が、タイヤ赤道面ＣＬを境界とする左右の領域で点対称に配置されている。このため、タイヤ接地時におけるトレッド部センター領域およびショルダー領域の各配置密度がタイヤ左右の領域間で略同一であり、凹部８の開口面積のみにより、タイヤ左右の領域の開口面積率の関係Ｓｉｎ＜Ｓｏｕｔが調整されている。かかる構成では、タイヤ左右の領域の開口面積率の関係Ｓｉｎ＜Ｓｏｕｔを容易に調整できる点で好ましい。
【０１２４】
しかし、これに限らず、例えば、空気入りタイヤ１が、タイヤ赤道面ＣＬを境界とする左右非対称なトレッドパターンを有することにより、凹部８が、タイヤ赤道面ＣＬを境界とする左右の領域で非対称に配置されても良い（図示省略）。
【０１２５】
また、図２２の構成では、車幅方向外側領域にて、センター陸部３１における凹部８の開口面積率Ｓ１と、セカンド陸部３２における凹部８の開口面積率Ｓ２と、ショルダー陸部３３における凹部８の開口面積率Ｓ３とが、Ｓ１＜Ｓ３＜Ｓ２の関係を有している。タイヤの駆動性能および制動性能に対する寄与が最も大きいセカンド陸部３２で、凹部８の開口面積率Ｓ２が大きく設定されることにより、凹部８の機能が効果的に発揮される。また、センター陸部３１およびショルダー陸部３３における凹部８の開口面積率が上記の関係Ｓ１＜Ｓ３を有することにより、接地圧がセンター陸部３１よりも高く氷路面にて水膜が発生し易いショルダー陸部３３の除水性が、効率的に高められている。
【０１２６】
しかし、これに限らず、例えば、ショルダー陸部３３に比較的小さい凹部８が配置されることにより（図示省略）、センター陸部３１の凹部８の開口面積率Ｓ１がショルダー陸部３３の凹部８の開口面積率Ｓ３よりも相対的に高く（Ｓ３＜Ｓ１）設定されても良い。
【０１２７】
また、図２２の構成では、タイヤ赤道面ＣＬを境界とする左右の領域にて、周方向細溝２３に区画されたセカンド陸部３２のタイヤ幅方向内側の領域における凹部８の開口面積率Ｓ２１と、タイヤ幅方向外側の領域における凹部８の開口面積率Ｓ２２とが、Ｓ２１＜Ｓ２２の関係をそれぞれ有している（図２３参照）。これにより、セカンド陸部３２の左右のブロック列の接地特性に差が形成されている。
【０１２８】
［効果］
以上説明したように、この空気入りタイヤ１は、リブあるいは複数のブロックを有する陸部３１〜３３をトレッド面に備える（図２参照）。また、空気入りタイヤ１は、車両に対する装着方向を表示する装着方向表示部（図示省略）を備える。また、陸部３１〜３３が、複数の細浅溝７と、複数の凹部８とを接地面に備える（図３および図４参照）。また、タイヤ赤道面ＣＬを境界とする車幅方向内側領域における凹部８の開口面積率Ｓｉｎと、車幅方向外側領域における凹部８の開口面積率Ｓｏｕｔとが、Ｓｉｎ＜Ｓｏｕｔの関係を有する。
【０１２９】
かかる構成では、（１）陸部３１〜３３が細浅溝７および凹部８を接地面に備えるので、陸部３１〜３３のエッジ成分が増加して、タイヤの氷上制動性能が向上する利点がある。また、（２）タイヤがネガティブキャンバを有する車両に装着された場合には、タイヤの車幅方向外側領域の接地圧が相対的に低くなる。このとき、車幅方向内側領域における凹部８の開口面積率Ｓｉｎが大きいので、車幅方向外側領域の接地面積が減少し、接地圧が上昇して、凹部８による雪柱剪断力（掘り起こし力）が増加する。これにより、タイヤのトラクション性能が向上して、タイヤの雪上性能が向上する利点がある。また、（３）凹部８が、サイプ（例えば、線状サイプ６や円形サイプ（図示省略））と比較して浅いので、陸部３１〜３３の剛性が適正に確保される。これにより、タイヤの氷上制動性能および雪上性能が確保される利点がある。
【０１３０】
また、この空気入りタイヤ１では、車幅方向内側領域における凹部８の開口面積率Ｓｉｎと、車幅方向外側領域における凹部８の開口面積率Ｓｏｕｔとが、１．１０≦Ｓｏｕｔ／Ｓｉｎの関係を有する。これにより、各領域における凹部８の開口面積率の比Ｓｏｕｔ／Ｓｉｎが確保されて、凹部８の開口面積の偏りによる作用が適正に得られる利点がある。
【０１３１】
また、この空気入りタイヤ１では、タイヤ赤道面ＣＬを境界とする車幅方向外側領域における凹部８の配置密度Ｄｏｕｔと、車幅方向内側領域における凹部８の配置密度Ｄｉｎとが、Ｄｉｎ＜Ｄｏｕｔの関係を有する。タイヤがネガティブキャンバを有する車両に装着された場合には、タイヤの車幅方向外側領域の接地圧が相対的に低くなる。このとき、凹部８が車幅方向外側領域で密に配置されるので、車幅方向外側領域の接地面積が減少し、接地圧が上昇して、凹部８による雪柱剪断力（掘り起こし力）が増加する。これにより、タイヤのトラクション性能が向上して、タイヤの雪上性能が向上する利点がある。
【０１３２】
また、この空気入りタイヤ１では、車幅方向内側領域における凹部８の配置密度Ｄｉｎと、車幅方向外側領域における凹部８の配置密度Ｄｏｕｔとが、１．１０≦Ｄｏｕｔ／Ｄｉｎの関係を有する。これにより、凹部８の配置密度の比Ｄｏｕｔ／Ｄｉｎが適正化される利点がある。
【０１３３】
また、この空気入りタイヤ１では、車幅方向内側領域における凹部８の開口面積の平均値Ａｉｎと、車幅方向外側領域における凹部８の開口面積の平均値Ａｏｕｔとが、Ａｉｎ＜Ａｏｕｔの関係を有する。（図２２および図２３参照）。タイヤがネガティブキャンバを有する車両に装着された場合には、タイヤの車幅方向外側領域の接地圧が相対的に低くなる。このとき、比較的大きな開口面積を有する凹部８が車幅方向外側領域に配置されるので、車幅方向外側領域の接地面積が減少し、接地圧が上昇して、凹部８による雪柱剪断力（掘り起こし力）が増加する。これにより、タイヤのトラクション性能が向上して、タイヤの雪上性能が向上する利点がある。
【０１３４】
また、この空気入りタイヤ１では、車幅方向内側領域における凹部８の開口面積の平均値Ａｉｎと、車幅方向外側領域における凹部８の開口面積の平均値Ａｏｕｔとが、１．１０≦Ａｏｕｔ／Ａｉｎの関係を有する。これにより、各領域における凹部８の開口面積の比Ａｏｕｔ／Ａｉｎが確保されて、凹部８の開口面積の偏りによる作用が適正に得られる利点がある。
【０１３５】
また、この空気入りタイヤ１では、車幅方向内側領域が、相互に異なる開口面積をもつ複数種類の凹部８を備え（図示省略）、且つ、車幅方向内側領域に配置された７０［％］以上の凹部８が、トレッド部全体の平均よりも小さな開口面積を有する。これにより、凹部８の開口面積の偏りによる作用が適正に得られる利点がある。
【０１３６】
また、この空気入りタイヤ１では、車幅方向外側領域が、相互に異なる開口面積をもつ複数種類の凹部８を備え（図示省略）、且つ、車幅方向外側領域に配置された７０［％］以上の凹部８が、トレッド部全体の平均よりも大きな開口面積を有する。これにより、凹部８の雪柱剪断作用が適正に確保されて、タイヤのトラクション性能が向上する利点がある。
【０１３７】
また、この空気入りタイヤ１では、４本以上の周方向主溝２１、２２と、周方向主溝２１、２２に区画されて成る５列以上の陸部３１〜３３とを備える（図２参照）。また、左右の最外周方向主溝２２、２２とタイヤ赤道面ＣＬとの距離が、タイヤ接地幅の２８［％］以上３８［％］以下の範囲にある。また、タイヤ赤道面ＣＬ上にある陸部３１（図２参照）あるいはタイヤ赤道面ＣＬ上にある周方向主溝に区画された陸部（図示省略）における凹部８の開口面積率Ｓ１と、最外周方向主溝２２に区画されたタイヤ幅方向内側の陸部３２における凹部８の開口面積率Ｓ２と、最外周方向主溝２２に区画されたタイヤ幅方向外側の陸部３３における凹部８の開口面積率Ｓ３とが、Ｓ１＜Ｓ２かつＳ３＜Ｓ２の関係を有する。一般に、セカンド陸部３２は、タイヤの制動性能および駆動性能に対する寄与が大きい。したがって、セカンド陸部３２における凹部８の開口面積率Ｓ２が高く設定されることにより、凹部８の吸水作用が効果的に発揮されて、タイヤの氷上制動性能が効果的に向上し、また、凹部８の雪柱剪断作用が効果的に発揮されて、タイヤの雪上性能が効果的に向上する利点がある。また、凹部８がセカンド陸部３２に追設されてトレッド全体の凹部８の配置数が増加することにより、凹部８の雪中剪断作用が増加して、タイヤの雪上性能が向上する利点がある。
【０１３８】
また、この空気入りタイヤ１では、４本以上の周方向主溝２１、２２と、周方向主溝２１、２２に区画されて成る５列以上の陸部３１〜３３とを備える（図２参照）。また、左右の最外周方向主溝２２、２２とタイヤ赤道面ＣＬとの距離が、タイヤ接地幅の２８［％］以上３８［％］以下の範囲にある。また、タイヤ赤道面ＣＬ上にある陸部３１（図２参照）あるいはタイヤ赤道面ＣＬ上にある周方向主溝に区画された陸部（図示省略）における凹部８の開口面積率Ｓ１と、最外周方向主溝２２に区画されたタイヤ幅方向外側の陸部３３における凹部８の開口面積率Ｓ３とが、Ｓ１＜Ｓ３の関係を有する。かかる構成では、凹部８の吸水作用により、接地圧が高く氷路面にて水膜が発生し易いショルダー陸部３３の除水性（吸水性）が向上する。これにより、タイヤの氷上制動性能が効果的に向上する利点がある。また、凹部８がショルダー陸部３３に追設されてトレッド全体の凹部８の配置数が増加することにより、凹部８の雪中剪断作用が増加して、タイヤの雪上性能が向上する利点がある。
【０１３９】
この空気入りタイヤ１では、４本以上の周方向主溝２１、２２と、周方向主溝２１、２２に区画されて成る５列以上の陸部３１〜３３とを備える（図２参照）。また、左右の最外周方向主溝２２、２２とタイヤ赤道面ＣＬとの距離が、タイヤ接地幅の２８［％］以上３８［％］以下の範囲にある。また、最外周方向主溝２２に区画されたタイヤ幅方向内側の陸部（セカンド陸部）３２が、タイヤ周方向に延在する周方向細溝２３を備える。また、周方向細溝２３に区画されたセカンド陸部３２のタイヤ幅方向内側の領域における凹部８の開口面積率Ｓ２１とタイヤ幅方向外側の領域における凹部８の開口面積率Ｓ２２とが、Ｓ２１＜Ｓ２２の関係を有する。かかる構成では、凹部８がセカンド陸部３２のタイヤ幅方向外側の領域で相対的に高く設定され、タイヤ幅方向内側の領域で相対的に低く設定されることにより、セカンド陸部３２における除水性の向上と接地面積の確保とが両立して、タイヤの氷上制動性能が向上する利点がある。
【０１４０】
また、この空気入りタイヤ１では、陸部３１〜３３の連続した接地面における凹部８の配置密度Ｄａが、０．８［個／ｃｍ＾２］≦Ｄａ≦４．０［個／ｃｍ＾２］の範囲にある。これにより、１つのブロックあるいは１つのリブにおける凹部８の配置密度Ｄａが適正化される利点がある。すなわち、０．８［個／ｃｍ＾２］≦Ｄａであることにより、凹部８の配置数が確保されて、凹部８による水膜の除去作用が適正に確保される。また、Ｄａ≦４．０［個／ｃｍ＾２］であることにより、陸部３１〜３３の接地面積が適正に確保される。
【０１４１】
また、この空気入りタイヤ１では、凹部８の開口面積が、２．５［ｍｍ＾２］以上１０［ｍｍ＾２］以下の範囲にある。これにより、凹部８の開口面積が適正化される利点がある。すなわち、凹部８の開口面積が２．５［ｍｍ＾２］以上であることにより、凹部８のエッジ作用および吸水性が確保される。また、凹部８の開口面積が１０［ｍｍ＾２］以下であることにより、陸部３１〜３３の接地面積および剛性が確保される。
【０１４２】
また、この空気入りタイヤ１では、凹部８の壁角度αが、−８５［deg］≦α≦９５［deg］の範囲にある（図５参照）。これにより、凹部８のエッジ作用が向上する利点がある。
【０１４３】
また、この空気入りタイヤ１では、凹部８の深さＨｄと、細浅溝７の溝深さＨｇとが、０．５≦Ｈｄ／Ｈｇ≦１．５の関係を有する（図５参照）。これにより、凹部８の深さＨｄが適正化される利点がある。すなわち、０．５≦Ｈｄ／Ｈｇであることにより、凹部８の吸水作用が確保される。また、Ｈｄ／Ｈｇ≦１．５であることにより、凹部８が細浅溝７に対して深過ぎることに起因する陸部３１〜３３の剛性低下を抑制できる。
【０１４４】
また、この空気入りタイヤ１では、陸部３１〜３３が、複数のサイプ６を接地面に備え、且つ、凹部８が、サイプ６から離間して配置される（例えば、図３参照）。かかる構成では、凹部８とサイプ６とが相互に分離して配置されるので、陸部３１〜３３の剛性が確保されて、タイヤの氷上制動性能が向上する利点がある。
【０１４５】
また、この空気入りタイヤ１では、複数のサイプ６が、並列に配置されて陸部３２をタイヤ周方向に複数の区間に区画する（図示省略）。また、タイヤ幅方向の中央部領域にのみ凹部８を有する前記区間と、タイヤ幅方向の端部領域にのみ凹部８を有する前記区間とが、タイヤ周方向に交互に配置される。かかる構成では、凹部８が分散して配置されるので、凹部８による水膜の吸収作用を高めつつ陸部の剛性を確保できる利点がある。また、連続する区間が凹部をそれぞれ有するので、氷路面の水膜が効率的に吸収されて、タイヤの氷上制動性能が向上する利点がある。
【０１４６】
また、この空気入りタイヤ１では、複数のサイプ６が、タイヤ周方向に並列に配置されて陸部３１〜３３を複数の区間に区画する。また、隣り合う任意の一対の前記区間の少なくとも一方が、タイヤ幅方向の端部領域に凹部８を有する（図３および図７参照）。これにより、凹部８がタイヤ幅方向の端部領域で凹部８が密に配置される。これにより、氷路面の水膜が効率的に吸収されて、タイヤの氷上制動性能が向上する利点がある。
【０１４７】
また、この空気入りタイヤ１では、複数のサイプ６が、タイヤ周方向に並列に配置されて陸部３１〜３３を複数の区間に区画する。また、隣り合う３つの前記区間が、タイヤ幅方向の端部領域に凹部８を有する前記区間と、タイヤ幅方向の中央部領域に凹部８を有する前記区間とをそれぞれ含む（例えば、図３および図６参照）。これにより、凹部８が陸部３１〜３３の端部領域および中央部領域に分散して配置される利点がある。
【０１４８】
また、この空気入りタイヤ１では、複数のサイプ６が、タイヤ周方向に並列に配置されて陸部３１〜３３を複数の区間に区画する。また、タイヤ周方向に隣り合う任意の３つの前記区間が、凹部８を有する前記区間と、凹部８を有さない前記区間とをそれぞれ含む（図７参照）。かかる構成では、凹部８を有さない区間が配置されることにより、凹部８が分散して配置される。これにより、陸部３１〜３３の接地面積が確保されて、タイヤの氷上制動性能が向上する利点がある。
【０１４９】
また、この空気入りタイヤ１では、陸部３１〜３３が、複数のブロック５を有するブロック列であり、ブロック５の角部に凹部８を有する（図３、図６および図７参照）。かかる構成では、接地圧が高く水膜が発生し易いブロック５の角部に、凹部８が配置される。これにより、氷路面の水膜が効率的に吸収されて、タイヤの氷上制動性能が向上する利点がある。
【０１５０】
また、この空気入りタイヤ１では、陸部３１〜３３が、複数のブロック５を有するブロック列であり、ブロック５のタイヤ周方向の端部かつタイヤ幅方向の中央部領域には凹部８を有さない（図３、図６および図７参照）。これにより、ブロック５の踏み込み側および蹴り出し側の端部の接地面積および剛性が確保されて、タイヤの氷上制動性能が向上する利点がある。
【０１５１】
また、この空気入りタイヤ１では、凹部８が、陸部３１〜３３の接地面にて円形状（図４参照）あるいは楕円形状（図示省略）を有する。これにより、凹部８が多角形を有する構成（図示省略）と比較して、陸部３１〜３３の接地面の偏摩耗を抑制できる利点がある。
【０１５２】
また、この空気入りタイヤ１では、少なくとも一部の凹部８が、タイヤ成形金型のベント跡（図示省略）に対応する位置に配置される。ベント跡を有効に利用し、また、陸部３１〜３３の接地面における無用な窪みを低減して陸部３１〜３３の接地面積を適正に確保できる利点がある。
【０１５３】
また、この空気入りタイヤ１では、複数の細浅溝７が、長手形状を有すると共に相互に並列に配置される（図４、図８〜図１４参照）。かかる構成では、細浅溝７が長手形状を有することにより、細浅溝７に吸収された水膜を細浅溝７の長手方向にガイドして排出できる。また、凹部８がかかる長手形状を有する複数の細浅溝７に跨って配置されるので、凹部８が吸収された水膜の溜まり場となり、陸部３１〜３３の吸水性が向上する。これらにより、タイヤの氷上制動性能が向上する利点がある。
【０１５４】
また、この空気入りタイヤ１では、複数の細浅溝７が、環状形状を有すると共に相互に分離して配置される（図１５および図１６参照）。かかる構成では、細浅溝７が陸部３１〜３３を貫通する構成と比較して、陸部３１〜３３の剛性が高い。これにより、タイヤの氷上制動性能が向上する利点がある。
【０１５５】
また、この空気入りタイヤ１では、複数の細浅溝７が、網目状に配置される（図１８〜図２０参照）。これにより、細浅溝７の溝面積が増加して、細浅溝７による水膜の吸収作用が向上する利点がある。
【０１５６】
また、この空気入りタイヤ１では、複数の細浅溝７が、環状形状を有すると共に相互に連通して配置される（図２１参照）。これにより、細浅溝７の溝面積が増加して、細浅溝７による水膜の吸収作用が向上する利点がある。
【実施例】
【０１５７】
図２４および図２５は、この発明の実施の形態にかかる空気入りタイヤの性能試験の結果を示す図表である。
【０１５８】
この性能試験では、複数種類の試験タイヤについて、雪上性能に関する評価が行われた。また、タイヤサイズ１９５／６５Ｒ１５の試験タイヤがＪＡＴＭＡ規定の適用リムに組み付けられ、この試験タイヤに２３０［ｋＰａ］の空気圧およびＪＡＴＭＡ規定の最大負荷が付与される。また、試験タイヤが、試験車両である排気量１６００［ｃｃ］かつＦＦ（Front engine Front drive）方式のセダンに装着される。
【０１５９】
雪上性能に関する評価では、試験車両が雪路試験場のスノー路面を走行し、駆動性能および走行速度４０［ｋｍ／ｈ］からの制動距離が測定される。そして、この測定結果に基づいて従来例を基準（１００）とした指数評価が行われる。この評価は、数値が大きいほど好ましい。
【０１６０】
図２４において、実施例１〜７の試験タイヤは、図１および図２の構成を備え、陸部３１〜３３のブロック５がサイプ６、細浅溝７および凹部８をそれぞれ有する。また、図４に示すように、直線状の細浅溝７がタイヤ周方向に傾斜しつつ平行に配置されてブロック５を貫通する。また、細浅溝７の溝幅および溝深さＨｇが、０．３［ｍｍ］である。また、トレッド面にあるすべての凹部８が、同一形状および一定の開口面積を有する。また、各陸部３１〜３３における凹部８の配置密度が、いずれも０．８［個／ｃｍ＾２］以上４．０［個／ｃｍ＾２］以下の範囲にある。そして、上記配置密度の範囲内にて、車幅方向外側領域および車幅方向内側領域の各配置密度Ｄｉｎ、Ｄｏｕｔならびに、センター陸部３１、セカンド陸部３２およびショルダー陸部３３における凹部８の配置密度Ｄ１、Ｄ２およびＤ３が調整されている。
【０１６１】
図２５において、実施例８〜１５の試験タイヤは、図１および図２２の構成を備え、陸部３１〜３３のブロック５がサイプ６、細浅溝７および凹部８をそれぞれ有する。また、図４に示すように、直線状の細浅溝７がタイヤ周方向に傾斜しつつ平行に配置されてブロック５を貫通する。また、細浅溝７の溝幅および溝深さＨｇが、０．３［ｍｍ］である。また、トレッド面にあるすべてのブロック５が複数の凹部８を備え、また、相互に異なる開口面積を有する２種類の凹部が使用される。また、大きい開口面積Ａｏｕｔを有する凹部８が車幅方向外側領域に配置され、小さい開口面積Ａｉｎを有する凹部８が車幅方向内側領域に配置される。また、各ブロック５における凹部８の配置密度Ｄａが、いずれも０．８［個／ｃｍ＾２］以上４．０［個／ｃｍ＾２］以下の範囲にある。また、試験タイヤが、タイヤ赤道面ＣＬを境界とする点対称なトレッドパターンを有し、また、点対称な凹部８の配置パターンを有している。
【０１６２】
従来例１、２の試験タイヤでは、図２の構成において、ブロック５がサイプ６および細浅溝７のみを有し、凹部８を有していない。
【０１６３】
試験結果に示すように、実施例１〜１５の試験タイヤでは、タイヤの雪上性能が向上することが分かる。
【符号の説明】
【０１６４】
１：空気入りタイヤ、２１、２２：周方向主溝、２３：周方向細溝、３１〜３３：陸部、３１１：切欠部、４１〜４３：ラグ溝、５：ブロック、６：サイプ、７：細浅溝、８：凹部、１１：ビードコア、１２：ビードフィラー、１３：カーカス層、１４：ベルト層、１４１、１４２：交差ベルト、１４３：ベルトカバー、１５：トレッドゴム、１６：サイドウォールゴム、１７：リムクッションゴム
【図１】
2016147654.tif 000003
【図２】
2016147654.tif 000004
【図３】
2016147654.tif 000005
【図４】
2016147654.tif 000006
【図５】
2016147654.tif 000007
【図６】
2016147654.tif 000008
【図７】
2016147654.tif 000009
【図８】
2016147654.tif 000010
【図９】
2016147654.tif 000011
【図１０】
2016147654.tif 000012
【図１１】
2016147654.tif 000013
【図１２】
2016147654.tif 000014
【図１３】
2016147654.tif 000015
【図１４】
2016147654.tif 000016
【図１５】
2016147654.tif 000017
【図１６】
2016147654.tif 000018
【図１７】
2016147654.tif 000019
【図１８】
2016147654.tif 000020
【図１９】
2016147654.tif 000021
【図２０】
2016147654.tif 000022
【図２１】
2016147654.tif 000023
【図２２】
2016147654.tif 000024
【図２３】
2016147654.tif 000025
【図２４】
2016147654.tif 000026
【図２５】
2016147654.tif 000027